(57)【要約】【目的】複数種のオーディオソースを再生するシステムにおいて、利用者に好ましい選択を容易に行えるようにした再生プログラムを提供する。【構成】ユニットＭＵのマイクロコンピュータ１が、ユニットＳＵ１・・による複数種のソースの選択再生を行うためのプログラムであって、マイクロコンピュータ１を、複数種のソース中から現に選択されているソースを再生するシングルプレイモードと複数種の各ソースを順次再生するマルチプレイモードの何れかを選択するモード選択手段Ｈ１と、マルチプレイモードが選択されると自動的に前記複数種のソースを所定の順序又はランダムな順序で所定時間ずつ再生するように再生制御を行うマルチプレイ手段Ｈ２と、マルチプレイモードの最中又は終了後において所定のボタン操作で任意のソースのシングルプレイモードに設定する再生オーディオソース決定手段Ｈ３として機能させる構成。【選択図】　　図１
2004013982.tif 000002
【特許請求の範囲】
【請求項１】
マイクロコンピュータが複数種のオーディオソースの再生を制御するためのオーディオシステムの再生プログラムであって、
前記マイクロコンピュータを、複数種のオーディオソース中から現に選択されているオーディオソース又は新たに選択したオーディオソースを再生するシングルプレイモードと複数種のオーディオソースを順次再生するマルチプレイモードの何れかを選択するモード選択手段と、前記マルチプレイモードが選択されると自動的に前記複数種のオーディオソースを所定の順序又はランダムな順序で所定時間ずつ再生するように再生制御を行うマルチプレイ手段と、前記マルチプレイモードの最中又は終了後において所定のボタン操作で任意のオーディオソースのシングルプレイモードに設定する再生オーディオソース決定手段として機能させるためのオーディオシステムの再生プログラム。
【発明の詳細な説明】
【０００１】
【発明の属する技術分野】
本発明は、オーディオ機器の技術分野に関し、特に、カーオーディオやホームオーディオ分野における複数種のオーディオソースの再生が可能なマルチメディアシステムに適したオーディオシステムの再生プログラムに関する。
【０００２】
【従来の技術】
従来のオーディオシステムはアンプ、ＦＭ／ＡＭラジオチューナ、コンパクトディスク（ＣＤ）、ミニディスク（ＭＤ）等を本体内蔵の一つの制御用マイクロコンピュータで一括制御する形態が主流であったが、最近のオーディオシステムでは、機能の複雑化、多数種のオーディオソースを再生対象とするマルチメディア化に対応するため、システムをユニット化する傾向にある。
【０００３】
即ち、主たるマスターユニットのオーディオ機器に内蔵されたマイクロコンピュータと、前記マスターユニットによって制御される従たる各種オーディオソースを再生する複数のスレイブユニットに分け、バスラインを介してのマスターユニットのマイクロコンピュータによるスレイブユニットのマイクロコンピュータの制御を行い、各ユニットのオーディオソースが選択再生される構成の所謂マスター・スレイブユニットシステムの製品形態が増えている。
【０００４】
例えば、図２の従来のオーディオシステムの一例であるマスター・スレイブユニットシステムの簡略化した構成図に示されるように、アンプユニットであるマスターユニットＭＵのマイクロコンピュータ１が、その入力ピン／出力ピンＩ／ＯからバスインターフェースＢＵＳＩ／Ｆを介して各々スレーブユニットＳＵ１、ＳＵ２・・であるラジオチューナ、ＣＤプレーヤー、カセットテーププレーヤー、ＭＤプレーヤー、ＣＤチェンジャープレーヤー等のマイクロコンピュータＭＣ１、ＭＣ２・・と１線式のバスラインＢＵＳを通してのパケット通信による制御信号等の授受で制御するシステム構成となっている。
【０００５】
【発明が解決しようとする課題】
ＡＭ／ＦＭラジオ放送、ＣＤ、ＭＤ、ＤＶＤ、カセットテープ、テレビ放送、ビデオといったオーディオソース（オーディオは元よりビジュアルソースを含めたメディアソース一般を意味する。）の多様化に伴い、利用者は何を聞こうかと選択に迷うことが生じる。また、複数のユニットに各々装填された様々のオーディオソース（ラジオ放送、テレビ放送を含む）をとりあえず順次聞きたい場合がある。
【０００６】
特に、カーオーディオシステムでは上記のような選択に迷った場合に、運転中にオーディオシステムのボタン操作を逐次細かく行うのは交通安全上好ましくない。
【０００７】
本発明はテレビ放送やラジオ放送を含む複数種のオーディオソースを再生対象とするマルチメディアソース対応のオーディオシステムにおいて、利用者に好ましい選択をソフトウェアにより容易に行えるようにしたオーディオシステムの再生プログラムを提供するものである。
【０００８】
【課題を解決するための手段】
本発明は上記課題を解決するために、マイクロコンピュータが複数種のオーディオソースの再生を制御するためのオーディオシステムの再生プログラムであって、前記マイクロコンピュータを、複数種のオーディオソース中から現に選択されているオーディオソース又は新たに選択したオーディオソースを再生するシングルプレイモードと複数種のオーディオソースを順次再生するマルチプレイモードの何れかを選択するモード選択手段と、前記マルチプレイモードが選択されると自動的に前記複数種のオーディオソースを所定の順序又はランダムな順序で所定時間ずつ再生するように再生制御を行うマルチプレイ手段と、前記マルチプレイモードの最中又は終了後において所定のボタン操作で任意のオーディオソースのシングルプレイモードに設定する再生オーディオソース決定手段として機能させるためのオーディオシステムの再生プログラムを提供する。
【０００９】
【発明の実施の形態】
本発明に係るオーディオシステムの再生プログラムの実施の形態について前述の図２のようなマスター・スレイブユニットシステムを例に、図１のプログラムのフロー図を基に詳述する。
【００１０】
先ず、前提として本発明の再生プログラムは前述の図２のようなマスター・スレイブユニットシステムのようなオーディオシステムにおけるマスターユニットＭＵの主制御のマイクロコンピュータ１に内蔵のＲＯＭ等のメモリにＣ言語等の記述言語によってプログラムデータとして記録されているものとする。即ち、マイクロコンピュータのソフトウェアによりアドインされる。
【００１１】
本発明に係るオーディオシステムの再生プログラムは、前記マイクロコンピュータ１がスレーブユニットＳＵ１、ＳＵ２・・であるラジオチューナ、ＣＤプレーヤー、ＭＤプレーヤー、ＣＤチェンジャー、ＤＶＤプレーヤ等の各種再生装置による複数種のオーディオソース（ラジオ放送、ＣＤ、ＣＤチェンジャー、ＭＤ、ＤＶＤ、その他）の選択再生を制御するためのプログラムであって、システムの電源をオンにすると先ずスキャンプレイ（シングルプレイ又はマルチプレイ）の選択待ち状態となり、前記マイクロコンピュータ１を、前記複数種のオーディオソース中から現に選択されているオーディオソース又は新たに選択したオーディオソースを再生するシングルプレイモードと複数種の各オーディオソースを順次再生するマルチプレイモードの何れかを選択するモード選択手段Ｈ１と、前記マルチプレイモードが選択されると自動的に前記複数種のオーディオソースを所定の順序又はランダムな順序で所定時間ずつ再生するように再生制御を行うマルチプレイ手段Ｈ２と、前記マルチプレイモードの最中又は終了後において所定のボタン操作で任意のオーディオソースのシングルプレイモードに設定する再生オーディオソース決定手段（例えばスキャンボタンの押し操作）Ｈ３として機能させる。
【００１２】
即ち、マスターユニットＭＵのマイクロコンピュータ１は、上記モード選択手段Ｈ１によってシングルプレイモードが選択されると、直前に選択されていたオーディオソース又は新たに選択したオーディオソースのスレイブユニットＳＵ１を作動させて当該オーディオソース１５の再生が行われるように当該スレイブユニットＳＵ１のマイクロコンピュータＭＣ１を制御する。
【００１３】
一方、上記モード選択手段Ｈ１によってマルチプレイモードがスキャンボタンで選択されると、マスターユニットＭＵのマイクロコンピュータ１が複数種のオーディオソースの各々のスレイブユニットＳＵ１、ＳＵ２・・・を順次に例えば図１のようにラジオモードプレイ、ＣＤモードプレイ、ＣＤチェンジャープレイ、ＭＤモードプレイ、ＤＶＤモードプレイ、その他のモードプレイといった順番で所定時間ずつ例えば５秒間乃至１０秒間ずつ起動してそのオーディオソース１５、１６・・の始めの部分（例えばＭＤであれば一曲目のさわり部分）の再生を行うように各スレイブユニットＳＵ１、ＳＵ２・・のマイクロコンピュータＭＣ１、ＭＣ２・・を制御する。
【００１４】
仮にオーディオシステムの全てのオーディオソースの再生が所定時間ずつ行われた後は、前記スキャンプレイの選択待ち状態にリターン（ＲＴ）する。
【００１５】
一般には、利用者は上記再生オーディオソース決定手段Ｈ３によってマルチプレイモードの最中又は終了後において、気に入ったオーディオソース（例えばＭＤ）に決めて、所定のボタン操作（例えばスキャンボタンの押し操作）でそのシングルプレイモードに設定移行する。
【００１６】
なお、上記各オーディオソース１５、１６・・のスレイブユニットＳＵ１、ＳＵ２・・の自動再生スキャンの順番は予め定めた順番に限らず、ランダムの順番でもよい。そのランダムスキャンプレイの手段は公知のランダムプレイのプログラムが適用され得る。
【００１７】
【発明の効果】
本発明に係るオーディオシステムの再生プログラムは上記のように構成されているため、多数のオーディオソース再生ユニットを短時間ずつ順に再生して何れのオーディオソースを聞くかを利用者が確かめながら決定することができるので、逐次各オーディオソースのプレーヤユニットを選択作動させる必要がなく、操作の手間を省くことができる。また、特にカーオーディオの場合は、オーディオソース選択に要する操作性が簡単になり、運転中の安全性が高まる結果となる。
【００１８】
また、既存の複数種のオーディオソースを再生するオーディオシステムにおけるマイクロコンピュータのソフトウェアによりアドインでき、低コストで実現できる。
【００１９】
【図面の簡単な説明】
【図１】本発明に係るオーディオシステムの再生プログラムのフロー図例である。
【図２】従来のオーディオシステムの一例であるマスター・スレイブユニットシステムの簡略化した構成図である。
【符号の説明】
１　　　　マスターユニットのマイクロコンピュータ
１５、１６　　　　オーディオソース
ＭＣ１、ＭＣ２・・スレイブユニットのマイクロコンピュータ
ＢＵＳ　　　　バスライン
ＭＵ　　　　マスターユニット
ＳＵ１、ＳＵ２・・スレイブユニット
Ｈ１　　　　モード選択手段
Ｈ２　　　　マルチプレイ手段
Ｈ３　　　　再生オーディオソース決定手段
【図１】
2004013982.tif 000003
【図２】
2004013982.tif 000004